(57)【要約】  所定の範囲で変動する温度において、流量計を流れる液体の総量の測定が、流量計を通って流れる流体の体積と励磁磁石システムが適用される移動経路（通路）との間の正確な相関関係に基づき、流れに対して励磁磁石システムを操作することによって決定され、同様に捲回されたウィーガントワイヤーとコイルによって流体の単位体積と一致する運動経路（通路）を通過する毎に測定電圧パルスを生成し、測定時毎に、第一エネルギー貯蔵手段に各電圧パルスに含まれる電気エネルギーを充電して、流体の瞬間的な温度を測定するための運用エネルギーとして同じく利用し、分解される最も小さな温度測定装置の整数倍としての温度値と前記温度値を含む整数のカウント値を生成し、不揮発性記憶手段の中に進行中の合計値を作り、先行して測定されたカウント値からの不揮発性記憶手段に保存される合計値に、それ（整数のカウント値）を加算し、外部エネルギーの供給が可能な、また、流体の温度修正供給（伝送）量を計算するプロセッサーにそれ（合計値）を引き渡すことから構成されている。
2014505246.tif 000002
【特許請求の範囲】
【請求項１】
流量計をながれる絶対温度（ＴＭ）が所定の温度範囲で変動可能な流体の質量を測定する方法において、
前記方法は、以下のステップを含むことを特徴とする流体の質量測定方法。
１）  励磁磁石システム（１）の動きを介し、通過して流れる流体の体積（流量）と移動通路との間に正確な相関関係があるように、流れる流体により少なくとも一の励磁磁石を備えた励磁磁石システム（１）を移動させ、
２）  励磁磁石システム（１）と捲回されたコイル（７）のフィールド域（場／界）に配置される少なくとも一のウィーガントワイヤーまたはパルスワイヤー（５）によって、流体の単位体積（ＶＥ）と一致する予め設定可能な移動通路を励磁磁石システム（１）が通り抜けたときはいつでも測定電圧パルスを生成し、
３）  独立したエネルギー源の形で、測定時間を定めて、測定電圧パルスの発生ごとに、内部エネルギー貯蔵装置内の第一エネルギー貯蔵手段（２２）に前記電圧パルスに含まれる電気エネルギーを充電し、
４）  以下のプロセスにおいて運用するエネルギーとして、第一エネルギー貯蔵手段（２２）に蓄積された各測定毎のエネルギーを使用する：
Ａ  温度測定装置を備えた流量計を流れる流体から派生する瞬間的な絶対温度（ＴＭ）またはパラメータ（ＵＴＭ）を測定し、
Ｂ  温度値（αＴＭ）または分解される最小の温度測定装置の温度を整数倍して得られるパラメータ（ＵＴＭ）の値（αＵＴＭ）を生成し、
Ｃ  温度値（αＴＭ）または派生値（αＵＴＭ）を含むカウント値（｛Ｋ２−αＴＭ｝またはαＵＴＭ）を生成し、
Ｄ  不揮発性記憶手段（１９）（
2014505246.tif 000026
または
2014505246.tif 000027
）に保存する進行中の合計値を作るため、先行して測定されたカウント値からの不揮発性記憶手段（１９）に保存される合計値に、整数のカウント値（｛Ｋ２−αＴＭ}またはαＵＴＭ）を加算し、
Ｅ  選択可能な供給（伝送）時間において、外部エネルギーを供給（伝送）可能であり、かつ、既知の定数（α、ρ、Ｔ０、ＶＥ）と流体の温度修正供給（伝送）量（Ｖｃｏｎｓｕｍｐｔｉｏｎ）の測定方法に係るアルゴリズムを使って計算するプロセッサー（３３）へ、流量計を流れる質量と一致する不揮発性記憶手段（１９）に保存した進行中の合計値
2014505246.tif 000028
または
2014505246.tif 000029
を引き渡す。
【請求項２】
さらに以下のステップが実行される各測定時に、第一エネルギー貯蔵手段（２２）に蓄積されたエネルギーを用いることを特徴とする請求項１記載の方法：
Ａ  圧力測定装置（１２）によって、単位体積あたりに掛かる圧力（ｐＭ）を測定し、
Ｂ  分解される最も小さな圧力測定装置の整数倍として、圧力値（βＵｐＭ）を生成し、
Ｃ  温度値（αＵＴＭ）と圧力値（βＵｐＭ）の生成物である、整数のカウント値（αβＵＴＭＵｐＭ）を生成し、
Ｄ  不揮発性記憶手段（１９）（
2014505246.tif 000030
）に保存する進行中の合計値を作るため、先行して測定されたカウント値から不揮発性記憶手段（１９）に保存される合計値に、整数のカウント値（αβＵＴＭＵｐＭ）を加算し、
Ｅ  選択可能な供給（伝送）時間において、外部エネルギーを供給可能であり、かつ、既知の定数（α、β、ρ、Ｔ０、ＶＥ）と流体の温度および圧力修正供給（伝送）量（Ｖｃｏｎｓｕｍｐｔｉｏｎ）の測定方法に係るアルゴリズムを使って計算するプロセッサー（３３）へ、流量計の中を流れる質量と一致する不揮発性記憶手段に保存した進行中の合計値（
2014505246.tif 000031
）を引き渡す。
【請求項３】
温度センサー（１１）によって瞬間的な温度が測られ、出力電圧が絶対温度（ＴＭ）に正比例していることを特徴とする請求項１記載の方法。
【請求項４】
瞬間的な絶対温度から生成されたパラメータは、温度センサー（１１）の出力電圧（ＵＴＭ）であり、前記温度に逆比例していることを特徴とする請求項１または請求項２記載の方法。
【請求項５】
整数のカウント値が温度値（αＴＭ）または温度から生成されるパラメータ（αΔＵＴＭ）の値のみから構成されており、測定電圧パルスがさらにカウントされて、供給（伝送）時間に達したカウンターの状態（ｒ）が外部エネルギーを供給可能なプロセッサー（３３）にも送られ、温度修正供給（伝送）量の計算に用いられることを特徴とする請求項１または請求項３記載の方法。
【請求項６】
内部エネルギー貯蔵装置の第一エネルギー貯蔵手段（２２）から電力を供給（伝送）されるホール素子（１６）の出力信号によってローターの回転の方向が検出されることを特徴とする前記いずれかの請求項に記載の方法。
【請求項７】
温度測定装置に設置しているアナログ／デジタルコンバーター（１４）によって、温度（Ｔｍ）に応じて変化する温度センサー（１１）のアナログ出力信号が、対応する分解（解析）値（α）とともに、計数および貯蔵理論手段（１７）に伝送されることができる整数値に変換されることを特徴とする前記いずれかの請求項に記載の方法。
【請求項８】
圧力測定装置に付設されているアナログ／デジタルコンバーター（１５）によって、圧力（ｐＭ）に応じて変化する圧力センサー（１２）のアナログ出力信号が、対応する分解（解析）値（β）とともに、計数および貯蔵理論手段（１７）に伝送できる整数値に変換されることを特徴とする請求項２乃至請求項７記載の方法。
【請求項９】
電気エネルギーとして外部電圧（ＶＤＤ）が流量計に加圧可能に供給するため、測定角度の正確な分解（解析）値は、測定および処理調整装置（３０、３１、３２、３３）によって生成することを特徴とする前記いずれかの請求項に記載の方法。
【請求項１０】
流量計の校正のために、および／または、流量計の下流における流体の流路の漏れ穴の検出のために、測定角度の正確な分解（解析）値が用いられることを特徴とする請求項９記載の方法。
【請求項１１】
離隔配置されたレシーバーへ不揮発性記憶手段（１９）に保存される進行中の合計値の最新値を送るために、更なる電圧パルスがエネルギー記憶装置の更なるエネルギー貯蔵手段（２３）に蓄積されるエネルギーとなる測定電圧パルスであり、測定電圧パルスの間でウィーガントワイヤーまたはパルスワイヤー（５）の上で回されるコイル（７）で更なる電圧パルスが誘発されるように、強磁性戻りヨーク（くびき）体によって外側面が保護される少なくとも２個からなる励磁磁石が、励磁磁石システムに設けられることを特徴とする前記いずれかの請求項に記載の方法。
【請求項１２】
出力信号が回転方向の検知のために供給（伝送）する励磁磁石システムのフィールド域（場／界）に、さらなる磁気感知素子が配置されることを特徴とする前記いずれかの請求項に記載の方法。
【請求項１３】
前記いずれかの請求項に記載の方法を実行するための装置。
【発明の詳細な説明】
【技術分野】
【０００１】
本発明は、流量計を流れる流体、特に請求項１に記載のガス、の総流量を測定する方法およびその方法の実施に最適な装置に関するものである。
【背景技術】
【０００２】
流量計は、流体の化学的および／または物理的な組成が変わらないとの仮定の上で、ガスまたは液体、または、一般的な流体であって、同一幅の供給（伝送）元から消費側へ、流れる流量を検知測定するのに役立つことが知られており、読取操作時に一定時間に流量計を流れる流体の総流量を確かめるために特定の時間間隔で読み取られ、総流量は消費側に供給（伝送）されて流体に保存されるエネルギーと独特の相関がある。
【０００３】
以下に述べる説明は、簡略化のために主にガスメーターまたはガス流量計に関するものとなっているが、本発明に係る方法は、液体の流量計として同じ方法が使用できる事は明らかに指摘されるべきである。
【０００４】
現在の一般的なガス流量計の多くは、ベローズ（蛇腹）タイプのメーターを採用しており、そこでは隔壁により相互に仕切られた測定室が定期的に充満（状態）と空隙（状態）となる。ジョイント・リンク機構では、ガスの流れをコントロールする２つのスライダーを駆動するクランクシャフトに、蛇腹運動を伝達する。このように、ガス流は、ベローズ（蛇腹）を通し交互に流動する。リンク機構の回転運動は、磁気結合の方法によって、企図された操作を防止するために通常はリセットできない（状態の）機械計数機構に送られる。測定室は、単位体積ＶＥがあらかじめ決められおり、単位体積ＶＥが消費側に供給（伝送）される毎に、計数機構の計数状況が一つずつ増加算される。
【０００５】
計数状況は選択可能な時間間隔、例えば年に一回、で読取られ、当該消費側に供給（伝送）される流体の量は、例えばリットルや立方メートルのような、単位体積ＶＥの倍数に計算される。この関係では、流量計を流れる流体の圧力は常に一定、すなわち、予め固定された値にあると想定されている。
【０００６】
また、仮に、流体が、例えば通常用いられる参照温度Ｔ０＝２９３Ｋ（ケルヴィン）（＋２０°Ｃ）と同一の常温であるとすれば、値に関して正確に知られ、かつ常に一定である流体の単位質量Ｍ０に対応する単位体積ＶＥが一致するので、前述の測定および計算方法は完全に正しい結果となる。二つの計数状況の読取工程間にある流量計を流れる流体の質量Ｍｃｏｎｓｕｍｐｔｉｏｎを確認するには、消費側に供給（伝送）される流体の正確な測定値またはその中に保存されるエネルギーに表われている体積値を得るためには、単位体積ＶＥに生ずる計数状況の変量を掛算（multiply）すれば十分である。
【特許文献１】ドイツ特許出願ＤＥ  １０  ２００７  ０３９  ０５０  Ａ１
【特許文献２】ドイツ特許出願ＤＥ  １０  ２００８  ０５１  ４７９  Ａ１
【発明の開示】
【発明が解決しようとする課題】
【０００７】
しかしながら一般的には、流体の温度も又、圧力も、充分正確にコンスタント（一定）ではない。例えば、前者は、定められた範囲で変化する。例えば、２５３Ｋ（ケルヴィン）と３３３Ｋ（ケルヴィン）の間（−２０°Ｃから＋６０°Ｃの間）で、特に圧力が加圧されないとして、圧力は、天候状態によって変化する大気圧に連動し、さらに、流量計が使用される場所の海抜にも左右される。
従って、本発明の目的は、流量計であって、特に上述のようなあらゆる環境下において供給（伝送）された流体の量を正確に把握できる流量計を提供することにある。
【課題を解決するための手段】
【０００８】
以下の説明において、第一に、流量計の使用場所の液圧は、既知のコンスタントな参照圧力ｐ０と等しいものと、技術的方法で確保されたと仮定する。そこで、残された問題（時間と温度）は、単位体積ＶＥの消費側への供給（伝送）において、それぞれ計測ステップを引き金とするが、供給（伝送）されたそれぞれの測定時間の温度ＴＭによって流体の流量ＭＭは大きく変化するので、計数値と単位体積ＶＥの単純な掛け算は利用可能な結果を導かないことになる。
【０００９】
言い換えると：測定時における流体の温度ＴＭがＴ０より低い場合、参照温度Ｔ０の場合と比べて、流体はより高密度であり、より大きな流体の質量が単位体積ＶＥごとに消費側に供給（伝送）され；  反対に、測定時における流体の温度ＴＭがＴ０より高い場合、流体はより低密度となり、小さな流体の質量が単位体積ＶＥごとに消費側に受領されることになる。
【００１０】
それにもかかわらず、供給（伝送）された流体の量を正確に把握できることや、体積単位で同じものを表現できるようにするために、少なくとも各々の測定値検出工程において、流体の絶対温度ＴＭを測定することと、測定値の形成においてそれを考慮することが必要となる。その場合において、一般的な気体（ガス）の状態方程式を用いる事により、温度ＴＭにおける単位体積ＶＥに含まれる質量ＭＭに基づいて供給（伝送）量Ｖ０が計算され、それが参照温度Ｔ０となった場合の流量計を流れる際の質量ＭＭと推定される。
【００１１】
測定温度ＴＭに関しては、以下の一般的な気体の状態方程式が適用される。
2014505246.tif 000003
一方で、参照温度Ｔ０に関しては、以下が適用される。
2014505246.tif 000004
ここで、ｎＭＲは、測定温度ＴＭにおいて単位体積ＶＥに含まれる流体の質量を表す。また、ｎ０Ｒは、参照温度Ｔ０において単位体積ＶＥに含まれる流体の質量を表す。
【００１２】
流体の質量ｎＭＲと一致する上記供給（伝送）量Ｖ０を得るため、方程式（１）を方程式（２）で割る。そして、測定原理に従い、ｎＭＲをｎ０Ｒと等しくする。圧力ｐが一定であると仮定されるため、ｐＭ＝ｐ０とみなされる。これより、以下が与えられる:
2014505246.tif 000005
【００１３】
方程式（３）は、着目した供給（伝送）量Ｖ０に従って、変形することができる：
2014505246.tif 000006
Ｔ０が確立した定数であることから、測定温度ＴＭより、現在流れている流体の質量ＭＭと一致する供給（伝送）量Ｖ０を、ＶＥの倍数または一部として、プロセッサーまたは演算回路によって計算することが、各測定時において直ちに可能である。
【００１４】
さて、流量計の計測と保存手段の保全のために、外部電源またはバッテリーとは独立して実装されることが、望ましいだけでなく、しばしば不可欠である。それは、前者（外部電源）が、いつもすべての測定地で保護を受けた操作方法を利用できるというわけではなく、また、後者（バッテリー）の使用は、経費と複雑で高水準なチェックを包含し、機能を保全する問題を伴うからである。
【００１５】
そのため、例えば、ＤＥ１０  ２００７  ０３９  ０５０  Ａ１に記載されているように、本発明では、測定と保存手段のために必要とされるエネルギーは、線形センサーまたは積算回転計の形式となり得る自律位置センサーという手段により、流体の運動エネルギーから得ている。
【００１６】
その目的のために、例えばベローズ式計測器の場合、励磁磁石システムは、検出される流体の流れによって、スライダーと共に往復運動するように取り付けられるか、または、クランクシャフト配置などを手段として、回転するように設けられるローターに取り付けられる。流量計やその測定室や複数の室の中を流れる液量と、励磁磁石システムが通過する動作部分との間に、正確な相関関係があることが極めて重要である。
【００１７】
以下、励磁磁石システムがローターに取り付けられ、例えば積算回転計の一部となっている好ましい状況について説明する。供給（伝送）された流体の単位体積ＶＥの数が線形センサー装置（手段）によって測定されるならば、本発明による方法はこれに制限されずに、専ら類似した方法にも使用することが可能である。しかしながら、流体の単位体積ＶＥは装置によって異なっているので、校正作業により決定されなければならない。そこから結果として生ずる装置に特有の校正定数は、それぞれに与えられたＶＥに包含される。
【００１８】
例えば３６０°のような値で表される予め設定可能な角度片ΔφＭを回転センサー変異体のローターが通過した際はいつでも、測定値の検出が行われる。時間内における対応するモーメントは、ここでは測定時間とする。しかしながら、他のどの値であっても、特に１８０°または６０°は、角度片ΔφＭとして採用することも可能である。いずれにしても、ローターが角度片ΔφＭを（経由しつつ）回転するため、測定室または複数の室の規模により定義される単位体積ＶＥからなる流体は、流量計の中を流れる必要がある。
【００１９】
コイルが捲回されたウィーガントワイヤーまたはパルスワイヤーが励磁磁石システムのフィールド域（場／界）に配置され、それにより、少なくともローターまたは流量計が角度片ΔφＭを通過したとき、すなわち各測定時にはいつでも、コイル内に測定電圧パルスが発生し、少なくともエネルギー記憶装置の第一エネルギー貯蔵手段は充電され、そのエネルギーが、液体温度を測定する温度測定装置や、測定値が形成／保存される不揮発性記憶手段や、少なくともそれぞれ直近の測定値が確実に保存されるまで、少なくとも対応する電子制御・処理手段の一部に、供給（伝送）される。
【００２０】
指摘したい点は、個々の電圧パルスからその方法で流体の運動エネルギーを分岐した電力量では、その時の各測定時間にプロセッサーを動かすのに十分でない場合は、方程式（４）に示されるように、各々の測定値検出工程において必要とされる、ＴＭによる割り算が実行される。
【００２１】
したがって、発明の第一の態様では、絶対温度ＴＭに正比例する出力電圧とともに温度センサーを用いるときに、方程式（４）に従い必要とされる割り算は、数学的な近似法により整数の合計に変換される。それは、低エネルギーの要件を有する論理制御装置が設置されたプロセッサーの支援なしで達成され、それ故に、一つの電圧パルスのエネルギーから供給（伝送）され得る。
【００２２】
方程式（４）において、ＴＭをＴ０±ΔＴに置き換えた場合、以下の式が与えられる：
2014505246.tif 000007
ΔＴがＴ０との比較において小さい場合には、以下の式がほぼ当て嵌まる：
2014505246.tif 000008
または、
2014505246.tif 000009
【００２３】
既に言及したように、本発明に従った流量計の操作においては、例えば、測定温度ＴＭは、２５３Ｋ（ケルヴィン）と３１３Ｋ（ケルヴィン）の間において変化し得るため、ΔＴがＴ０との比較において小さいという状態は、温度範囲の全てにおいては当て嵌まらず、そして、修正定数ρ＜１を導入することが必要となる:
2014505246.tif 000010
【００２４】
流体供給（伝送）量Ｖｃｏｎｓｕｍｐｔｉｏｎは相対的であり、換言すれば、測定値ｒの検出動作が行われた時間内に流量計を流れた流体の単位体積ＶＥと関連付けられ、以下の式が当て嵌まる：
2014505246.tif 000011
【００２５】
温度測定値の積分を得るために、温度測定の分解（解析）値を表す定数αを導入すると、方程式（９）は、以下の式に書き換えることができる：
2014505246.tif 000012
【００２６】
また、Ｔ０、α、ρは、既知の定数パラメータであるため、αＴ０／ρは第一定数Ｋ１と呼び、（１＋ρ）Ｔ０α／ρ２は第二定数と呼ぶ。
2014505246.tif 000013
あるいは、
2014505246.tif 000014
【００２７】
確かに何れのケースも、生成値αＴＭは、測定時毎にウィーガントワイヤーまたはパルスワイヤーに捲回されるコイルにおける単一パルスの利用可能なエネルギーによって、低電力条件を含むアナログ／デジタルコンバータにより生じるが、線形動作温度センサーによって供給（伝送）されるアナログ信号とともに送信される際に、積に直接提供される分解（解析）値αとともに形成されなければならない。
【００２８】
αは、単位（例えば、ケルヴィン）がどの程度まで分解されるか特定する。０．１ケルヴィンの分解（解析）値として、α＝１０が与えられる。
【００２９】
したがって、方程式（１１）を用いる際、測定時において個別に生じる積分値αＴＭは、不揮発性記憶手段に進行中の合計値として蓄積するのに十分な大きさであり、また、不揮発性計数器の計数状況を、計算された時間間隔内に行われる測定値検出工程における数値ｒの蓄積のために１ずつ加算するのにも十分な大きさである。
【００３０】
不揮発性計数器の進行中の合計値と計数状況を示す値ｒは、選択可能な供給（伝送）時間において、好ましくは外部エネルギーが供給（伝送）され、それを個々の供給（伝送）量Ｖｃｏｎｓｕｍｐｔｉｏｎに変換するプロセッサーに伝送することができる。それらの伝送または読出のプロセスは、この明細書の冒頭部分で説明したように、既知の機械式計数装置の読み取り操作に相当し、それらは固定的に既定の時間間隔においても生じ得る。しかしながら、本件流量計を操作することにより派生させる必要はなく、実質的により短い時間間隔にすることも可能である。それらは固定された時間パターンに従い予め設定できるし、および／または、受信側または消費側の要求によって惹起させることが出来る。
【００３１】
本発明による流量計は外部から行われる操作から保護されているため、原則として、不揮発性記憶手段における進行中の合計値と不揮発性計数器における計数状況ｒは、プロセッサーに各々伝送された後、０に戻すことができる。これは、個々の供給（伝送）量Ｖｃｏｎｓｕｍｐｔｉｏｎが直前の供給（伝送）時間から消費側へ流れた流体の量を直接示すという有利性を与える。
【００３２】
供給（伝送）開始から消費側に供給（伝送）された流体の質量の推定は、進行中の合計値と計数状況ｒが、流量計自身においても、また伝送されたデータの受信側の何れにおいてもリセットされないので、本発明による方法によれば通常の状態では、最初から可能である。
【００３３】
プロセッサーが流量計を流れた流体の質量を計算するための個々の供給（伝送）時間に先行する時間間隔は、したがって、最後と最後から２番目の供給（伝送）時間の間に経過した時間間隔か、最初から最新（最後）の供給（伝送）時間までに経過した時間間隔である。
【００３４】
方程式（１２）を用いるとき、大きなエラーが生じることなくＫ２の小数部分は無視できるため、測定時に個別に生成される値であるＫ２−αＴＭは整数となり、進行中の合計値として不揮発性記憶手段に保存される。低レベル電力条件を含むコンピュータシステムで、相違形成が実施される。カウント値ｒの検出と保存は、ここでは要求されない。伝送量Ｖｃｏｎｓｕｍｐｔｉｏｎの最終的な算出は、計算された時間間隔の終了時、すなわち外部エネルギーが供給（伝送）されるプロセッサーによりＫ１によって割られる進行中の合計値を読み取った直後に、再度行われる。
【００３５】
方程式（８）から（１２）では、精度レベルが０．５％以上許容されるのであれば、記号
2014505246.tif 000015
は“＝”に置き換えることが出来る。
【００３６】
例えば、補助レジスタ（追加抵抗）として適するＮＴＣを用いる事が可能なように、進行中の合計値として不揮発性記憶手段に保存される値を生成するため考えられる他の方法として、温度ＴＭに逆比例する出力電圧ＵＭを供給（伝送）する非線形温度センサーを用いることも含まれる。
【００３７】
方程式（４）は次の通りとなる。
2014505246.tif 000016
若しくは、ＵＭｍｉｎが測定される最低温度と現在測定されている温度によって生じる電圧値を意味するならば、ＴＭはＵＭｍｉｎ＋ΔＵＴＭによって表される：
2014505246.tif 000017
【００３８】
そして、供給（伝送）量Ｖｃｏｎｓｕｍｐｔｉｏｎを確定する作業は、次の方程式による：
2014505246.tif 000018
（計算された時間間隔毎に測定値検出工程と当該計数状況ｒの保存と伝送を数えることによる）
若しくは、次の方程式による：
2014505246.tif 000019
（計算された時間間隔毎の測定値検出工程の計数を行わず、対応する計数状況ｒの生成値、保存および伝送によらない）
【００３９】
検出し保存した単一の値または複数の値が、外部よりエネルギーの供給されるプロセッサーに転送された場合、ｒαＵＭｍｉｎの加算とＫ４による除算により、Ｋ４がα／ＶＥＴ０であれば、連続的に保存された値
2014505246.tif 000020
から、方程式（１５）によって対象の供給（伝送）量Ｖｃｏｎｓｕｍｐｔｉｏｎを確かめることができる。方程式（１６）を使用する際には、進行中の合計値
2014505246.tif 000021
だけがプロセッサーに供給（伝送）され、Ｋ４で割られる。この場合も、αは、最終的には測定値に影響せず、１度の分数倍という状況で得られる測定値ΔＵＭから整数を生成することのみに供される要素である。測定値ΔＵＭが完全に摂氏温度値のみで得られる場合α＝１となり、それらが１０倍の温度であればα＝１０などのようになる。
【００４０】
液圧を一定にする装置が提供されない場合には、本発明に従って測定される。ＵＰＭが使用に係る圧力センサーにより供給（伝送）される電圧であるならば、方程式（１３）に類似して、以下の式が与えられる：
2014505246.tif 000022
【００４１】
この場合、電圧値ＵＴＭとＵｐＭから積分値αＵＴＭとβＵｐＭを生成するために測定分解（解析）値のデグリー（程度）と一致するαとβの２つの要素が用いられ、方程式（１６）に類似して、以下の式が与えられる：
2014505246.tif 000023
【００４２】
ここでは、Ｋ５  ＝  αβｐ０／ＶＥＴ０である。したがって、積αＵＴＭβＵｐＭを形成し進行中の合計値
2014505246.tif 000024
として不揮発性記憶手段に保存することは、第一エネルギー貯蔵手段における個々の測定パルスが利用できるエネルギーとして十分である。
2014505246.tif 000025
は、そこから外部エネルギーを供給（伝送）されるプロセッサーに伝送され、気温の変化や気圧の変化の両方の関係をもとに訂正されて消費側へ伝送され、正確な流量の測定を示す対象の供給（伝送）量Ｖｃｏｎｓｕｍｐｔｉｏｎを得るために、Ｋ５で除算される。
【００４３】
多くの流量計は、ローターが一方向にのみ回転する機械的構成である。ローターが両方向に回転可能である使用状況においては、例えばホール素子などの感磁性素子は、励磁磁石システムのフィールド域（場／界）に付加的に配備され、例えばＤＥ  １０  ２００８  ０５１  ４７９  Ａ１に記載されているように、出力信号が回転方向を検出し、また、第一エネルギー貯蔵手段より電気エネルギーも供給される。
【００４４】
例えば、上記ＤＥ  １０  ２００７  ０３９  ０５０  Ａ１で知られているように、外部エネルギーが供給され、励磁磁石システムのフィールド域（場／界）に等しく並べられるホール素子の配備によって、角度片ΔφＭは最終的に分解され得る。その精巧な分解（解析）値は、校正目的および／または消費側における漏れの検知に用いることが可能である。
【００４５】
励磁磁石システムには、ウィーガントワイヤーに捲かれたコイルおよび測定電圧パルスの間にあるパルスワイヤーへ、独立したエネルギー源としてのエネルギー貯蔵装置にエネルギーを貯める更なる貯蔵手段として、更なる電圧パルスを送るための複数の永久磁石を装備することが可能で、更なる複数の電圧パルスから送られてくるエネルギーは蓄積され、不揮発性記憶手段に蓄えられた進行中の合計値を遠隔に設置されたレシーバに時に応じて送るのに十分なエネルギーとなる、その時点で、外部エネルギーが供給され、供給（伝送）量Ｖｃｏｎｓｕｍｐｔｉｏｎの演算を行う処理装置が装備される。エネルギー貯蔵装置の更なるエネルギー貯蔵手段は、流量計の中にある計算を行うプロセッサまたは該プロセッサへのエネルギの供給を可能にする。
【００４６】
励磁磁石システムには、ＤＥ１０  ２００７  ０３９  ０５０  Ａ１に記述の通り、シールドリターンボディーの付いた２つの永久磁石を含むことが望ましいとされる。このシールド手段は、例えば、励磁磁石システムの動きを抑制またはブレーキをかけるために外部印加磁場より与えられる試しの操作から効率よく流量計を保護することを可能にする。
【００４７】
ＦＲＡＭ貯蔵手段またはＭＲＡＭ貯蔵手段は不揮発性記憶手段として使用される。
【００４８】
本発明による方法および更に有利な方法の構成は、付随する請求項に記載されている。
【００４９】
本発明は、図を参考例とした実施態様を用いて以下に記載される。
【図面の簡単な説明】
【００５０】
【図１】図１は、本発明による手法を実行に移すための自律回転センサーを基礎とした流量計の最も需要な略ブロック回路図を表している。
【発明を実施するための形態】
【００５１】
流動流体の運動エネルギーから、必須の測定および貯蔵工程を実施するために必要となる電気エネルギーを得ることができるように、図において永久磁石の隣に表され、また図で示された実施態様では、回転軸３のみが示されるローターに取り付けられた励磁磁石システム１が提供される。矢印Ｒで示されるローターは、適切な機械的な装置（図示されていない）により、流量計と、測定室と、チャンバを通過する流体体積と、ローターに覆われた回転角と、の間に正確な相関関係をもつように、検出すべき流体流動によって回転させられる。フィールド域（場／界）に配置された励磁磁石システム１は、ウィーガントワイヤーまたはパルスワイヤー５、および、そこに捲かれたコイル７で構成され、励磁磁石装置システム１が特定の角度を通過するたびに、電圧パルスが誘発される。励磁磁石システム１が単一の永久磁石で構成されている場合には、ローターの全回転毎に２つの電圧パルスを得るが、例えば、複数の一対の磁極を使用した全回転では、それぞれ６から１０の該当電圧パルスが生産される。
【００５２】
ここで説明のために用いられる、例えば、測定電圧パルスとして機能する全回転毎に発生する電圧パルスの一つで、つまり、ローターが３６０°の角度片ΔφＭを通過したときはいつでも、流量計を通過した流体が単位体積ＶＥと一致するとして、測定および貯蓄工程が後述のように施行される。このような測定電圧パルスが発生する瞬間を本明細書では、測定時点としている。
【００５３】
図に示される回路ユニットは、互いに部分的に重複する２つのグループ、破線で記された長方形で囲まれるグループ８および一点鎖線で記された長方形で囲まれるグループ９、に分けることができる。
【００５４】
グループ８に属する回路ユニットと構成要素の中のデジタル／アナログ変換器１４および１５は、それぞれ温度センサー１１と圧力センサー１２、ローターの回転方向を検出するために設けられた単一ホール素子１６、計数および貯蔵理論手段１７、不揮発性記憶手段１９およびエネルギー管理回路２０と接合され、エネルギー管理回路２０は、蓄電器の隣に図示される第一エネルギー貯蔵手段２２をチャージする管理電圧パルスが生じるたびに稼働し、第一エネルギー貯蔵手段２２で生成する必須の電子運動エネルギーは上記のユニットで、流体圧ＰＭ、流体温度ＴＭの現在の支配的な測定値を確かめるのに、十分な期間において使用可能であり、測定値を電子化し、不揮発性記憶手段１９内の進行中の合計値として、計数および貯蔵理論手段１７とから形成されるαＵＴＭと積分カウント値βＵＰＭが貯蔵される。計数および貯蔵理論手段１７によって、確認され、測定電圧パルスの元の数値を明確にする計数状況ｒを保存することが可能であり、それは、想定時間内に派生する。
【００５５】
進行中の合計値の算出は、圧力が常にＰ０と等しくなると見なされる状況下で数値例によって明らかにされる。アナログ／デジタル変換器１４側での適切な分解（解析）値によると、温度測定値ＵＴＭは０．１下降し、例えば、ロータが全回転した後に２９３．５ケルヴィンとなり、測定電圧パルスを引き起こし、その値にα＝１０を乗じた、進行中の合計値となる積分カウント値２９３５は、新しい進行中の合計値に含まれる不揮発性記憶手段１９が５７９３００になるように、不揮発性記憶手段１９に含まれる数値（例：５７６３６５）へ加えられる。もし、その後、次の測定電圧パルスが発生した場合には、温度は０．２上昇し、２９３．７ケルヴィンとなり、積分カウント値の最後の値は２９３７となり、進行中の合計値の最後の値は５８２２３７となる。
【００５６】
例えば、３６０°の角度片ΔφＭを通過するごとに“１”と継続的に数える計数機構である従来の流量計とは対照的に、本発明によれば、不揮発性記憶手段１９の進行中の合計値は、消費側へ供給（伝送）される液体の質量を計算するために必要とされる全ての情報が進行中の合計値に含まれるように、測定時点において行き渡った流体温度に依存して変化する積分カウント値によって、その都度増加する。それぞれの測定時に検出された流体圧力値ＵｐＭが変化する場合には、圧力測定値の変化として、応動するよう考慮される。
【００５７】
測定電圧パルスによって供給（伝送）されたエネルギーが、上記の測定と貯蔵作業（タスク）の遂行に丁度十分であるとされる場合は、毎測定時に生じるが、測定電圧パルス間で生産されて、前述のどのような測定や貯蔵工程も作動させない電圧パルスのエネルギーは、第二エネルギー貯蔵手段２３に蓄積される。第二エネルギー貯蔵手段２３は、例えば、蓄電器の隣に配置され、選択された時間に、エネルギーを無線周波数、赤外光、超音波あるいは他の送信エネルギーで作動する発信機２５に供給する。それは、例えば、不揮発性記憶手段１９に蓄積された進行中の合計値の最終値、または任意のカウンター・ステイタスＲを遠隔に配置された受信機に無線で送るためである。外部エネルギー供給で、それぞれの測定時間間隔中に消費側へ供給（伝送）された流体の質量の確認に必要な計算の実行は、プロセッサー、μコントローラ、コンピュータあるいは他同種のものが有効である。
【００５８】
測定電圧パルスに、それぞれの測定および貯蔵作業（タスク）に必要とされるより多くのエネルギーが含まれている場合があるとしても、過剰エネルギーは更にエネルギー貯蔵手段２３に蓄積され、上記の方法で使用される。
【００５９】
最初のグループ８に属する全ての回路部は、バッテリーおよび外部からのエネルギー供給を要求せず、完全に自律的に作動している。それらの回路部はハイブリット回路としても構成可能な集積回路の中に組み込まれることが好ましい。特に、第一エネルギー貯蔵手段２２は、その集積回路に統合可能である。一般的に温度センサーは個別の構成要素である。
【００６０】
比較すると、第一エネルギー貯蔵手段２２のみからの電子エネルギーの供給は、第二のグループ９に属する構成要素または回路部である複数のホール素子を含むホールプローブ配列３０、マルチプレクサ３１および増幅器３２には適切でないため、補足エネルギー源を必要とする。更なる詳細は以下に記述される。
【００６１】
図示されたプロセッサー３３は、流量計に直接配置される回路配列の構成要素となり得る。プロセッサー３３は、グループ９に帰属するか、もしくは更なるエネルギー貯蔵手段２３から電気エネルギーを供給され、不揮発性記憶手段１９に保存される進行中の合計値のそれぞれ最後の値から、運ばれた流体の質量の換算値を計算して、その値を送信器２５に送り、そして、例えば、遠隔に配置された受信機に無線で送信する。受信機が複数の発信機（ネットワーク配列）からデータを受信可能な場合には、それぞれの発信機は、供給（伝送）量（Ｖｃｏｎｓｕｍｐｔｉｏｎ）の算出に必要なデータと共に、データを識別するディスパッチャ（発信）アドレスを送信する。
【００６２】
更なる代替手段に従って、プロセッサー３３は、いかなる場合においても外部からのエネルギーの補給が提供されもので、遠隔に配置された受信機が装備されている前記プロセッサーと同一である可能性がある。その後に送信される必要なデータには、さらに測定データを含む定数Ｋ１からＫ３が含まれている。
【００６３】
ホールプローブ配列は、ウィーガントワイヤーまたはパルスワイヤー５、および、そこに捲かれるコイル７と同様に、前述の最先端技術（多重回転）で周知の通り、励磁磁石システム１のフィールド域（場／界）に配置され、励磁磁石システム１の一対の磁極によって予め定められた角度片の正確な分解（解析）値を導き出す働きをする。マルチプレクサ３１は、ホールプローブ配列３０の個々のホール素子から生ずる出力信号の単一チャンネル処理に用いられる。信号は、後続の増幅器３２で増幅され、その後、プロセッサー３３に供給される。それぞれの回転子の位置を、より詳細に表す正確な角度の値を、そのまま（自らの方法）で、確認する
【００６４】
外部電圧ＶＤＤの使用準備が整っている場合には、本件発明による正確な分解（解析）の取得のために、最初にシステムを作動させる前に工場で流量計の校正が実施されることが、一方においては促進されている。
【００６５】
更に、正確な分解（解析）値は、流量計の消費側で生ずるごく少量の問題となる漏水の痕跡をトレースするのに用いることが可能である。そのための保全作業として、一定期間、外部エネルギーを備えた流量計の回路装置を正確な分解（解析）値で提供する。例えば、それは数分間程度であり、漏水の事実を示す僅かなローターの角度位値の変化を観察する分析作業でもある。「外部エネルギー」は、多種多様な方法で、例えば、バッテリーや周辺の光で稼働する太陽電池の使用により、利用可能にすることが出来る。
【００６６】
上記のホール素子またはホールプローブの代わりに、他の感磁部材であるＧＭＲセンサー（ＧＭＲ−巨大磁気抵抗）を使用することも可能である。
【００６７】
経済的および空間的理由から、本発明の装置としては、ウィーガントまたはコイルが捲かれたパルスワイヤーで構成される単一ウィーガントモジュールを使用することが一般的に望ましい。ただし、解決策として、感磁要素を追補したウィーガントモジュールの代わりに、２つまたはそれ以上のウィーガントモジュールを用いることを想定することも考えられる。
【図１】
2014505246.tif 000032
【国際調査報告】
2014505246.tif 000033
2014505246.tif 000034
2014505246.tif 000035
2014505246.tif 000036
2014505246.tif 000037
2014505246.tif 000038